(57)【要約】【課題】電池電圧が低下した際に確実にガス流路を閉詮すること。【解決手段】電池１の電圧を測定し判定値以下であれば遮断弁駆動回路３に遮断信号を出力する電圧測定回路４を備えることにより、マイクロコンピュータ５が暴走又は停止しても、電池電圧が低下した際に確実にガス流路を閉詮することができる。【選択図】図１
2005249578.tif 000002
【特許請求の範囲】
【請求項１】
制御電源である電池と、ガス流路内に設けられた遮断弁と、前記遮断弁を駆動する遮断弁駆動回路と、前記電池の電圧を測定し判定値以下であれば前記遮断弁駆動回路に遮断信号を出力する電圧測定回路と、ガスの流量異常などを判断して緊急時などに前記遮断弁駆動回路に遮断信号を出力するマイクロコンピュータで構成されたガス遮断装置。
【請求項２】
電圧測定回路は、電圧入力部に電圧平滑回路を有したことを特徴とする請求項１記載のガス遮断装置。
【請求項３】
電圧測定回路は、電圧を測定し判定値以下であれば遮断弁駆動回路に遮断信号を出力するとともに、マイクロコンピュータにリセット信号を出力することを特徴とする請求項１または２に記載のガス遮断装置。
【請求項４】
電圧測定回路は、遮断弁駆動回路に出力する遮断信号を所定時間で停止することを特徴とする請求項１〜３のいずれか１項に記載のガス遮断装置。
【請求項５】
電圧測定回路は、遮断弁の復帰信号が入力されると遮断弁駆動回路に遮断信号を出力することを特徴とする請求項１〜４のいずれか１項に記載のガス遮断装置。
【発明の詳細な説明】
【技術分野】
【０００１】
本発明は、ガスメータ以後のガス使用時に、ガス使用上の安全を図るガス遮断装置に関するものである。
【背景技術】
【０００２】
従来この種のガス遮断装置は図６に示すように制御電源である電池１と、ガス流路内に設けられた遮断弁２と、前記遮断弁２を駆動する遮断弁駆動回路３と、前記電池１の電圧を測定し判定値以下であれば電圧低下信号ａを出力するトランジスタＴＡと抵抗ＲＡと電圧検出素子ＩＣＡを用いた電圧測定回路４と、ガスの流量異常などを判断して緊急時などに前記遮断弁駆動回路４に遮断信号ｂを出力し、且つ前記電圧測定回路４から出力される電圧低下信号ａを受け取ると遮断信号ｂを前記遮断弁駆動回路３へ出力するマイクロコンピュータ５と前記遮断弁２の状態を検知し、マイクロコンピュータ５へ復帰信号ｃを出力する復帰検知回路６で構成している（例えば、特許文献１参照）。
【特許文献１】特開平９−２５７２４７号公報
【発明の開示】
【発明が解決しようとする課題】
【０００３】
しかしながら、前記従来のガス遮断装置では、電池の電圧低下をマイクロコンピュータが判定し、報知又は遮断弁の閉栓を行うため、マイクロコンピュータが暴走又は停止した場合に遮断弁を駆動しガス流路を閉栓できなくなる等の課題を有していた。
【課題を解決するための手段】
【０００４】
前記従来の課題を解決するために、制御電源である電池と、ガス流路内に設けられた遮断弁と、前記遮断弁を駆動する遮断弁駆動回路と、前記電池の電圧を測定し判定値以下であれば前記遮断弁駆動回路に遮断信号を出力する電圧測定回路と、ガスの流量異常などを判断して緊急時などに前記遮断弁駆動回路に遮断信号を出力するマイクロコンピュータを設けたものである。
【０００５】
上記によれば、マイクロコンピュータが暴走又は停止した場合でも、電池の電圧低下時には確実にガス流路を閉栓することができる。
【発明の効果】
【０００６】
本発明のガス遮断装置は、電池電圧が低下した際にマイクロコンピュータを介さず判定するため、マイクロコンピュータが暴走又は停止した場合でも、確実にガス流路を閉栓できるため、ガス使用上の安全性を確保することができる。
【発明を実施するための最良の形態】
【０００７】
第１の発明は、制御電源である電池と、ガス流路内に設けられた遮断弁と、前記遮断弁を駆動する遮断弁駆動回路と、前記電池の電圧を測定し判定値以下であれば前記遮断弁駆動回路に遮断信号を出力する電圧測定回路と、ガスの流量異常などを判断して緊急時などに前記遮断弁駆動回路に遮断信号を出力するマイクロコンピュータをを設けたものである。
【０００８】
上記によれば、マイクロコンピュータが暴走又は停止した場合でも、確実にガス流路を閉栓することができる。
【０００９】
第２の発明は、特に、第１の発明の電圧測定回路の電圧入力部に電圧平滑回路を設けたものである。
【００１０】
上記によれば、一時的な電圧変動に対し誤遮断を防止することができる。
【００１１】
第３の発明は、特に、第１の発明または第２の発明の電圧測定回路に電圧を測定し判定値以下であれば遮断弁駆動回路に遮断信号を出力するとともに、マイクロコンピュータにリセット信号を出力する機能を設けたものである。
【００１２】
上記によれば、マイクロコンピュータの暴走又は停止により消費電流が多くなり電池電圧低下となった場合に消費電流を通常状態に戻すことができる。
【００１３】
第４の発明は、特に、第１〜３のいずれか１つの発明の電圧測定回路に遮断弁駆動回路に出力する遮断信号を所定時間で停止する機能を設けたものである。
【００１４】
上記によれば、遮断弁が閉栓後も遮断弁駆動回路により電池が消耗することを防止することができる。
【００１５】
第５の発明は、特に、第４の発明の電圧測定回路に遮断弁の復帰信号が入力されると前記遮断弁駆動回路に遮断信号を出力する機能を設けたものである。
【００１６】
上記によれば、ガス使用者が遮断弁を復帰し、ガス流路を開栓させた場合に、再度遮断弁を駆動しガス流路を閉栓することでことができる。
【００１７】
以下、本発明の実施の形態について、図面を参照しながら説明する。尚、この実施の形態によって本発明が限定されるものではない。
【００１８】
（実施の形態１）
図１は本発明の実施の形態１のガス遮断装置の構成図である。
【００１９】
図１において、制御電源である電池１と、ガス流路内に設けられた電磁コイルを用いた遮断弁２と、前記遮断弁２を駆動するトランジスタＴ１と抵抗Ｒ１と抵抗Ｒ２とダイオードＤ１とダイオードＤ２を用いた遮断弁駆動回路３と、前記電池１の電圧を測定し判定値以下であれば前記遮断弁駆動回路３に遮断信号ｂを出力する電圧検出素子を用いた電圧測定回路４と、ガスの流量異常などを判断して緊急時などに前記遮断弁駆動回路３に遮断信号ｂを出力するマイクロコンピュータ５と、前記遮断弁２の復帰を検知し前記マイクロコンピュータに復帰信号ｃを出力する抵抗Ｒ３と抵抗Ｒ４と抵抗Ｒ５と抵抗Ｒ６とダイオードＤ３とトランジスタＴ２とトランジスタＴ３を用いた復帰検知回路６で構成している。
【００２０】
次に動作、作用について説明する。
【００２１】
（１）電池電圧が低下した場合
電池１の電圧が前記遮断弁２の駆動能力を有し且つ通常使用時で想定された電圧より低下すると、前記電圧測定回路４はＬＯＷ信号を出力し、前記遮断弁駆動回路３のトランジスタＴ１をオンすることで前記電池１の電圧を前記遮断弁２に印加し、前記遮断弁２が駆動してガス流路を閉詮する。
【００２２】
（２）緊急時のガス流路の閉詮
前記マイクロコンピュータ５がガスの流量異常などを判断した時に、前記マイクロコンピュータ５は遮断信号ｂを出力し、前記遮断弁駆動回路３のトランジスタＴ１をオンすることで前記電池１の電圧を前記遮断弁２に印加し、前記遮断弁２が駆動してガス流路を閉詮する。
【００２３】
（３）ガス流路の開栓
前記遮断弁２を復帰した時に発生する磁界変化に伴う起電力により前記復帰検知回路６のトランジスタＴ２がオンすることで、トランジスタＴ３がオンして復帰信号ｃが前記マイクロコンピュータ５に入力され、前記マイクロコンピュータ５はガス流路の開栓と判断する。
【００２４】
以上のような構成において、マイクロコンピュータ５が暴走又は停止した場合でも、電池１の電圧が低下した場合には確実にガス流路を閉栓することができる。
【００２５】
（実施の形態２）
図２は本発明の実施の形態２のガス遮断装置の構成図である。
【００２６】
実施の形態１と異なる点は、抵抗Ｒ７とコンデンサＣ１を用いた電圧平滑回路７を設けたものである。
【００２７】
次に動作、作用について説明する。
【００２８】
実施例１と異なる点は、前記電池１が大電流時の電圧低下やノイズ等の影響により一時的に低下した場合に、前記コンデンサＣ１と前記抵抗Ｒ７の電圧バックアップを行う点である。よって、一時的な電圧変動に対し誤遮断を防止することができる。
【００２９】
（実施の形態３）
図３は本発明の実施の形態３のガス遮断装置の構成図である。
【００３０】
実施の形態１と異なる点は、前記電池１の電圧を測定し判定値以下であれば前記遮断弁駆動回路３に遮断信号ｂを出力するとともに、前記マイクロコンピュータ６にリセット信号を出力するコンデンサＣ２を用いたリセット回路８を設けたものである。
【００３１】
次に動作、作用について説明する。
【００３２】
実施例１と異なる点は、前記電池１の電圧が前記遮断弁２駆動能力を有し且つ通常使用時で想定された電圧より低下すると、前記電圧測定回路４はＬＯＷ信号を出力し、前記コンデンサＣ２を介して前記マイクロコンピュータ５のプルアップ抵抗と前記コンデンサＣ２の時定数時間（コンデンサＣ２充電されるまで）のみが前記マイクロコンピュータ５のリセットポートにリセット信号を出力するため、前記マイクロコンピュータ５はリセットされる点である。よって、マイクロコンピュータの暴走又は停止により消費電流が多くなり電池電圧低下となった場合に消費電流を通常状態に戻すことができる。
【００３３】
（実施の形態４）
図４は本発明の実施の形態４のガス遮断装置の構成図である。
【００３４】
実施の形態１と異なる点は、前記遮断弁駆動回路３に出力する遮断信号ｂが所定時間で停止するコンデンサＣ３を用いたタイマ回路９を設けたものである。
【００３５】
次に動作、作用について説明する。
【００３６】
実施例１と異なる点は、前記電池１の電圧が前記遮断弁２駆動能力を有し且つ通常使用時で想定された電圧より低下すると、前記電圧測定回路４はＬＯＷ信号を出力し、前記コンデンサＣ３と前記抵抗Ｒ８の時定数時間（コンデンサＣ３充電されるまで）のみ前記遮断弁駆動回路３のトランジスタＴ１をオンすることで前記電池１の電圧を前記遮断弁２に印加し、前記遮断弁２が駆動してガス流路を閉詮する点である。よって、前記遮断弁２が閉栓後も前記遮断弁駆動回路３に遮断信号ｂを印加しつづけることにより前記電池１が消耗することを防止することができる。
【００３７】
（実施の形態５）
図５は本発明の実施の形態５のガス遮断装置の構成図である。
【００３８】
実施の形態４と異なる点は、前記遮断弁２の復帰信号ｃが入力されると抵抗Ｒ９と抵抗Ｒ１０と前記遮断弁駆動回路３のＴ１よりも高速で動作できるトランジスタＴ４とトランジスタＴ５で前記タイマ回路９の前記コンデンサＣ３を放電する放電回路１０を設けたものである。
【００３９】
次に動作、作用について説明する。
【００４０】
実施例４と異なる点は、前記遮断弁２を復帰した時に発生する磁界変化に伴う起電力である発生する復帰信号ｃにより前記復帰検知回路６のトランジスタＴ２がオンすることで、トランジスタＴ３がオンして復帰信号ｃが前記放電回路１０のトランジスタＴ４がオンしトランジスタＴ５がオンすることで、前記タイマ回路９のコンデンサＣ３を放電する。前記復帰信号ｃがなくなると前記タイマ回路９はコンデンサＣ３と前記抵抗Ｒ８の時定数時間（コンデンサＣ３充電されるまで）のみ前記遮断弁駆動回路３のトランジスタＴ１をオンすることで前記電池１の電圧を前記遮断弁２に印加し、前記遮断弁２が駆動してガス流路を閉詮する点である。よって、ガス使用者が遮断弁を復帰し、ガス流路を開栓させた場合に、再度遮断弁を駆動しガス流路を閉栓することでことができる。
【産業上の利用可能性】
【００４１】
以上のように、本発明にかかるガス遮断装置は、電池電圧が低下した際にをマイクロコンピュータを介さず判定するため、マイクロコンピュータが暴走又は停止した場合でも、確実にガス流路を閉栓できるため、ガス調理器等の用途にも適用できる。
【図面の簡単な説明】
【００４２】
【図１】本発明の実施の形態１のガス遮断装置の構成図
【図２】本発明の実施の形態２のガス遮断装置の構成図
【図３】本発明の実施の形態３のガス遮断装置の構成図
【図４】本発明の実施の形態４のガス遮断装置の構成図
【図５】本発明の実施の形態５のガス遮断装置の構成図
【図６】従来のガス遮断装置の構成図
【符号の説明】
【００４３】
１  電池
２  遮断弁
３  遮断弁駆動回路
４  電圧測定回路
５  マイクロコンピュータ
７  電圧平滑回路
【図１】
2005249578.tif 000003
【図２】
2005249578.tif 000004
【図３】
2005249578.tif 000005
【図４】
2005249578.tif 000006
【図５】
2005249578.tif 000007
【図６】
2005249578.tif 000008